(57)【特許請求の範囲】
【請求項１】
側面と端面を有する電池本体と、
前記電池本体に備えられた正極端子および負極端子と、
前記正極端子または前記負極端子と外部回路とを接続する一対のリード部とを備えた電池であって、
前記一対のリード部が、前記正極端子または前記負極端子のうち前記外部回路からの距離の短い端子に接続される短リード部と、前記外部回路からの距離の長い端子に接続される長リード部とからなり、
前記リード部の前記長リード部が、前記外部回路に接続される接続部と、前記接続部と前記正極端子または負極端子とを繋ぐ延設部とに分割して形成されており、
前記長リード部が、前記短リード部と同形の前記接続部と、前記延設部とに分割して形成され、
前記接続部は、幅の狭い幅狭部を備えており、
前記幅狭部が、電池本体の側面と端面との角で折曲されており、
前記接続部の前記幅狭部に係らない端部が、前記接続部の幅方向の内側において、前記電池本体の端面から起立するように折曲されて、前記外部回路に接続されていることを特徴とする電池。
【発明の詳細な説明】
【０００１】
【発明の属する技術分野】
本発明は、電池に関する。
【０００２】
【従来の技術】
一般的に、携帯電話等に使用されるリチウムイオン二次電池には、電池の過充電や過放電を防止するための保護回路基板が備えられている。図６には、保護回路基板１１２を備えた電池１０１を示した。この電池１０１は、アルミニウムにより直方体状に形成された電池缶１０２の内部に、発電要素（図示せず）が収容されたものである。この発電要素は、正極用電極板と負極用電極板とをセパレーターを介して積層し、巻回することにより作製されたものである。そして、電池缶１０２の底部には正極用電極板が電気的に接続され、電池缶１０２全体が正極端子としての役割を果たしている。また、電池缶１０２の蓋部１０４には負極端子１０５が備えられ、この負極端子１０５には負極用電極板が電気的に接続されている。
【０００３】
保護回路基板１１２は、電池缶１０２の底面１０３に沿うように設けられ、一対のリード部１０６を介して電池１０１と接続されている。一対のリード部１０６のうちプラスリード１０７は電池缶１０２の底面１０３に溶着されている。そして、その一端部には接続片１０８が突設されて、この接続片１０８が保護回路基板１１２に接続されている。一方、マイナスリード１０９は、電池の側面及び底面に沿って配され、絶縁シート１１３を介して電池缶１０２に接着されるとともに、プラスリード１０７と同様に接続片１１０が突設されて、この接続片１１０が保護回路基板１１２に接続されている。また、その他端部は電池缶１０２の側面に沿うようにして蓋部１０４に達するまで延出されて、保護素子１１１を介して負極端子１０５に溶着されている。
【０００４】
【発明が解決しようとする課題】
ところが、電池１０１の大きさは、電池１０１の種類によって異なる場合がある。このため、マイナスリード１０９の長さＬを、電池１０１の大きさによって決まる長さ寸法ＬＢ１，ＬＢ２に合わせて設定しなければならない。さらに、内部抵抗の調整、電池全体の質量低減等、要求される性能に応じて、リード部１０６の幅、厚み等を個別に設計する必要がある。
【０００５】
これらのことから、リード部１０６の仕様を標準化することは困難であり、電池の受注状況に応じて個別にリード部１０６の設計、製造を行わなければならなかった。このため、製造効率の向上に限界があった。
【０００６】
本発明は上記した事情に鑑みてなされたものであり、その目的は、製造効率を向上できる電池を提供することにある。
【０００７】
【課題を解決するための手段】
上記の課題を解決するために請求項１の発明に係る電池は、側面と端面を有する電池本体と、前記電池本体に備えられた正極端子および負極端子と、前記正極端子または前記負極端子と外部回路とを接続する一対のリード部とを備えた電池であって、前記一対のリード部が、前記正極端子または前記負極端子のうち前記外部回路からの距離の短い端子に接続される短リード部と、前記外部回路からの距離の長い端子に接続される長リード部とからなり、前記リード部の前記長リード部が、前記外部回路に接続される接続部と、前記接続部と前記正極端子または負極端子とを繋ぐ延設部とに分割して形成され前記接続部は、幅の狭い幅狭部を備えており、前記幅狭部が、電池本体の側面と端面との角で折曲されており、前記接続部の前記幅狭部に係らない端部が、前記接続部の幅方向の内側において、前記電池本体の端面から起立するように折曲されて、前記外部回路に接続されていることを特徴とする。
【０００８】
さらに、前記長リード部が、前記短リード部と同形の前記接続部と、前記延設部とに分割して形成されていることを特徴とする。
【０００９】
【発明の作用、および発明の効果】
請求項１の発明によれば、リード部は、外部回路に接続される接続部と、この接続部と電池の正極端子または負極端子とを繋ぐ延設部とに分割して形成されている。
【００１０】
このような構成によれば、接続部は電池の大きさや要求される性能に依存せず一定の形状とできるため、標準化を図ることができる。また、延設部は接続部と負極端子とを繋ぐのみであるため、例えば帯状等の単純な形状とすることができる。このため、電池の大きさや要求される性能に合わせたリード部を簡易に製造することができる。これにより、製造効率を向上させることができる。
【００１１】
また、この発明によれば、長リード部に備えられた接続部が短リード部と同形とされている。このような構成によれば、短リード部と接続部とを同一の工程で製造でき、さらなる製造効率の向上を図ることができる。
【００１２】
【発明の実施の形態】
以下、本発明の電池を具体化した一実施形態について、図１〜図５を参照しつつ詳細に説明する。
【００１３】
図１および図２には、本実施形態の電池１を示した。この電池１の電池本体２は、角型のリチウムイオン二次電池であり、アルミニウムにより有底の角型容器状に形成された電池缶３の内部に発電要素が収容されている。そして、この電池缶３の開口部は、蓋部４を溶着することにより密閉されている。発電要素は、図示はしないが、正極用電極板と負極用電極板とをセパレーターを介して積層し、巻回することにより作製されたものである。正極用電極板からは正極リードが導出されて、電池缶３の底部に溶着されており、電池缶３全体が正極端子としての役割を果たしている。また、負極用電極板からは負極リードが導出されて、蓋部４に備えられた負極端子５に溶着されている。
【００１４】
この電池本体２には、電池１の過充電や過放電を防止するための保護回路基板８（本発明の外部回路に該当する）が接続されている。保護回路基板８は、電池１の底面６とほぼ同幅の矩形状のプリント基板の表面に、所定の電子部品が実装されるとともに、外部機器との接続のための外部端子が備えられたものである。この保護回路基板８は、電池缶３の底面６に沿うように配され、一対のリード部１０を介して電池本体２に接続されている。
【００１５】
リード部１０は、長尺のマイナスリード１１（本発明の長リード部に該当する）と、短尺のプラスリード１２（本発明の短リード部に該当する）とで構成されている。プラスリード１２は、ニッケル板を型抜き加工および曲げ加工することによって形成され、短冊状の溶着部１３の一端部に、この溶着部１３の長さ方向と垂直方向に接続片１４が突設された形状とされている。このプラスリード１２は、接続片１４の突設された側を端部側に向けた状態で、溶着部１３を電池缶３の底面６の一端部にスポット溶接することにより固着されている。
【００１６】
一方、マイナスリード１１は、保護回路基板８に接続される接続部１５と、この接続部１５と負極端子５とを繋ぐ延設部１６に分割して形成されている（図３参照）。接続部１５は、プラスリード１２と同形とされており、プラスリード１２と同一の工程で作製されたものである。
【００１７】
また、延設部１６は、ニッケル板を、電池１の側面７の長さＬＢとほぼ同じ長さＬの帯状に切断することによって形成されている。ここで、延設部１６は帯状という単純な形状であるため、容易に長さＬを調整することができる。このため、電池１の長さＬＢに対応する長さＬを有する延設部１６を容易に作製することができる。
【００１８】
さらに、延設部１６は、要望に応じて太さや厚み、断面形状等を変化させることも容易にでき、電池性能の要求に応じて材質を変化させることも容易にできる。このため、例えば電池１の内部抵抗を低減したい場合には、幅Ｗを広くし、厚みＴを厚くする等、断面の面積を広げた延設部１６を作製すればよく（図４）、或いは導体抵抗率の低い材質を選択することもできる。また、電池１全体の質量を低減したい場合には、幅Ｗを狭くし、厚みＴを薄くした延設部１６を作製すればよく（図５）、或いは断面積の小さいものや、比重の小さい材料を選択してもよい。このように、延設部１６の幅Ｗや厚みＴ、材質等を変えることで、要求される電池１の性能に合わせたリード部１０を簡易に作製することができるのである。
【００１９】
この延設部１６の一端部に、接続部１５の溶着部１７がスポット溶接により溶着されることにより、全体として長尺の帯状をなすマイナスリード１１が形成されている。このマイナスリード１１は、接続部１５が幅方向の中央部分で９０度折り曲げられることで全体としてＬ字状とされ、電池缶３の側面７、底面６に沿わせるようにして接着されている。マイナスリード１１と電池缶３との間には、帯状の絶縁材２０が挟み込まれており、正極端子である電池缶３とマイナスリード１１とが直接に接触するのを防止している。また、延設部１６において接続部１５が溶着された側と逆側の端部には保護素子１８が溶着されている。この保護素子１８は、電池１の蓋部４に沿うように９０度折り曲げられて、その先端部が負極端子５に溶着されている。
【００２０】
そして、両リード１１、１２の接続片１４、１９は、電池缶３の底面６に対して垂直となるように９０度折り曲げられて、ここに保護回路基板８が接続されている。
【００２１】
以上のように本実施形態によれば、一対のリード部１０のうち、長尺のマイナスリード１１が、接続部１５と延設部１６とに分割して形成されているとともに、接続部１５がプラスリード１２と同形とされている。
【００２２】
このような構成によれば、接続部１５は電池１の大きさや要求される性能に依存せず一定の形状とできるため、同じ形状のものを種々の電池１に適用することができ、標準化を図ることができる。また、延設部１６は接続部１５と負極端子５とを繋ぐのみであるため、例えば帯状等の単純な形状とすることができる。このため、電池１の大きさや要求される性能に合わせて、長さＬや厚みＴ、幅Ｗの異なるもの、或いは材質が異なるものを容易に作製でき、製造効率を向上させることができる。
【００２３】
さらに、接続部１５とプラスリード１２とを同一の工程で製造できるため、製造効率を向上させることができる。
【００２４】
本発明の技術的範囲は、上記した実施形態によって限定されるものではなく、例えば、次に記載するようなものも本発明の技術的範囲に含まれる。その他、本発明の技術的範囲は、均等の範囲にまで及ぶものである。
（１）本実施形態によれば、リード部１０はニッケルにより形成されているが、本発明によればリード部の材質は本実施形態の限りではなく、例えば銅であってもよい。
（２）本実施形態によれば、一対のリード部１０のうちマイナスリード１１が長リード部とされて、接続部１５と延設部１６とに分割して形成されているが、本発明によればリード部の構成は本実施形態の限りではなく、例えばプラス側のリードが長リード部とされて、分割形成されていてもよい。また、長リード部と短リード部の双方が分割形成されていてもよい。
（３）上記実施形態では、プラスリード１２を電池缶３の底面６に接続するようにしたが、電池缶３のうち底面６以外の部分に接続するようにしてもよいことは勿論である。
【図面の簡単な説明】
【図１】保護回路基板を備えた本実施形態の電池の斜視図
【図２】本実施形態の電池の斜視図
【図３】本実施形態の電池の分解斜視図
【図４】厚みおよび幅を変化させたマイナスリードの分解斜視図−１
【図５】厚みおよび幅を変化させたマイナスリードの分解斜視図−１
【図６】従来の電池の斜視図
【符号の説明】
１…電池
２…電池本体
３…電池缶（正極端子）
５…負極端子
８…保護回路基板（外部回路）
１０…リード部
１１…マイナスリード（長リード部）
１２…プラスリード（短リード部）
１５…接続部
１６…延設部
【図１】
0005036107.tif 000002
【図２】
0005036107.tif 000003
【図３】
0005036107.tif 000004
【図４】
0005036107.tif 000005
【図５】
0005036107.tif 000006
【図６】
0005036107.tif 000007